(57)【要約】      （修正有）【課題】ドアに人が近づいたとき、ライトが点灯する使い勝手がよく、取扱いが簡単なドア用センサーライトを提供する。【解決手段】下方に向けた光の照射手段（ライト）及び斜め前方を感知する人感センサー２を備えた半球状の下本体１と、下本体１の上方に装着する円筒状の上本体３で構成する。上本体３の上面に着脱自在の蓋体４を装着するとともに、蓋体４にドアの上端部に固定するための固定手段を設ける。ライト12は、ドア前面及びドア前面よりやや前方を照射し、人感センサー２はドアの斜め前方の人を感知し、ドアの前に人が立つと、ノブや鍵穴といったドアの前面を含む一定の範囲を照射するライトが点灯する。【選択図】図１
0003184006.tif 000002
【実用新案登録請求の範囲】
【請求項１】
下方に向けた光の照射手段と斜め前方を感知する人感センサーを備えた半球状の下本体と、該下本体の上方に装着する円筒状の上本体で構成し、上本体の上面に着脱自在の蓋体を装着するとともに、該蓋体にドアの上端部に固定するための固定手段を設けたことを特徴とするドア用センサーライト。
【請求項２】
蓋体に設ける固定手段は、外周部から中心方向に向けてガイド溝を設け、Ｌ字状に折曲した固定金具の垂直辺をドアの上端部に固定し、ドアの上端部から外面に向けて突出する水平辺を前記蓋体のガイド溝に挿入し、任意挿入位置において固定金具の水平辺と蓋体とを締付ネジで固定することを特徴とする請求項１記載のドア用センサーライト。
【請求項３】
半球状の下本体と、円筒状の上本体を一定角度の範囲で回動可能としたことを特徴とする請求項１又は２記載のドア用センサーライト。
【請求項４】
上本体内を上下に区画する仕切り板を装着し、該仕切り板の上面に光の照射手段及び人感センサーを駆動するための電池を収容する電池ボックスを形成することを特徴とする請求項１ないし３のいずれかに記載のドア用センサーライト。
【考案の詳細な説明】
【技術分野】
【０００１】
本考案は、ドアに人が近づくとライトが点灯する、ドア用センサーライトの構造に関する考案である。
【背景技術】
【０００２】
防犯のため、あるいは日常生活の利便性を向上するために、人が近付いた事を感知して、自動的にライトを点灯させるセンサーライトが種々開発されている。屋外や玄関において使用するものには、特許文献１や特許文献２に記載された考案が存在する。
【先行技術文献】
【特許文献】
【０００３】
【特許文献１】実用新案登録第３１４６８９２号公報
【特許文献２】実公平７−５５７６３号公報
【考案の概要】
【考案が解決しようとする課題】
【０００４】
特許文献１には、壁面に取付けてセンサー部及び照明部を斜め下方に向けて配置するセンサー付ライトの考案が記載されている。本体である筐体を壁面に取付ける構造として、壁面にフックや釘を設けておき、これに壁面取付面部に形成した掛止孔を引っ掛ける構造が開示されている。
【０００５】
特許文献２には、ドアの開閉用ノブに引掛けておく照明器具が記載されている。この照明器具には、人体から発する赤外線を感知するセンサーを内蔵しており、人が近づくと自動的に鍵穴部分を照らし出す。
【０００６】
特許文献１に記載された考案では、壁面にセンサー付ライトを固定するため、開閉するドアのノブや鍵穴の一定範囲を確実に照らすことができない。また、特許文献２に記載された考案では、ドアノブに引掛けるか固定するものであるため、鍵穴以外の周囲を効果的に照光することができない。また、ドア前方の周辺を照光するものでないため、防犯としては有効に機能しない。
【０００７】
上記従来技術の欠点に鑑み、本考案は人を感知した時に、常にドアの上方からある程度限られた範囲であるドアの前方部分やノブ、鍵穴の周辺の一定範囲を効果的に照らすことができるとともに、容易にドアの上部に取付けることができるセンサーライトを実現することを目的とする考案である。
【考案の開示】
【課題を解決するための手段】
【０００８】
請求項１記載の考案は、下方に向けた光の照射手段と斜め前方を感知する人感センサー２を備えた半球状の下本体１と、下本体１の上方に装着する円筒状の上本体３で構成し、上本体３の上面に着脱自在の蓋体４を装着するとともに、蓋体４にドアの上端部に固定するための固定手段を設けたことを特徴とするドア用センサーライトである。
【０００９】
請求項２記載の考案は、蓋体４に設ける固定手段は、外周部から中心方向に向けてガイド溝５を設け、Ｌ字状に折曲した固定金具６の垂直辺6aをドア７の上端部に固定し、ドア７の上端部から外面に向けて突出する水平辺6bを前記蓋体４のガイド溝５に挿入し、任意挿入位置において固定金具６の水平辺6aと蓋体４とを締付ネジ８で固定することである。
【００１０】
請求項３記載の考案は、半球状の下本体１と、円筒状の上本体３を一定角度の範囲で回動可能としたことである。
請求項４記載の考案は、上本体３内を上下に区画する仕切り板９を装着し、この仕切り板９の上面に光の照射手段及び人感センサーを駆動するための電池を収容する電池ボックス10を形成することである。
【考案の効果】
【００１１】
請求項１記載の考案によれば、例えばドア７の前に人が立つと、人感センサー２が感知してドア７の前方、主としてノブ11や鍵穴付近に上方から光を照射する。これにより、家人がドアの鍵を容易に開けることができる。家人以外の場合は、光が照射されることによって照らし出されるため、人目に付き防犯に役立つ。
本考案に係るドア用センサーは、任意のドア７に簡単に取付けることができる。また、ドアへの取付けは、上本体３の蓋体４にドアの上端部に固定するための固定手段を設け、上本体３と蓋体４を着脱自在としたことにより、例えば蓋体４がドアに固定されている状態で、蓋体４以外の部分を取り外してメンテナンスを行なうことができる。
【００１２】
請求項２記載の考案によれば、蓋体４と上本体３との着脱構造をＬ字状に折曲した固定金具６の水平辺6bを挿入するガイド溝５を蓋体４に設け、任意挿入位置において固定金具６の水平辺6aと蓋体４とを締付ネジ８で固定する構造であるため、ドアの種々の寸法（厚み）に対して簡単に取付けることができる効果がある。
【００１３】
請求項３記載の考案によれば、ライト12の照射方向や人感センサー２の感知方向を、ドアの状態に応じて下本体１を回動させることによって簡単に調整することができる。
請求項４記載の考案によれば、ライト12を点灯させるための電池の電池ボックス10を上本体３内にコンパクトに形成することができ、上本体３を蓋体４から取外すことによって簡単に電池を交換することができる。
【図面の簡単な説明】
【００１４】
【図１】図１は、本考案ドア用センサーライトの実施形態を示す縦断面図、
【図２】図２は、ドア用センサーライトをドアに取付けた状態を示す側面図、
【図３】図３は、ドア用センサーライトの平面図、
【図４】図４は、ドア用センサーライトの底面図、
【図５】図５は、蓋体を取り除いた状態を示すドア用センサーライトの平面図、
【図６】図６は、ドア用センサーライトの使用状態を示す側面図である。
【考案を実施するための最良の形態】
【００１５】
以下、本考案に係るドア用センサーライトの実施形態を、添付の図面に基づいて説明する。
図１は、本考案ドア用センサーライトの実施形態を示す縦断面図、図２は、ドア用センサーライトをドアに取付けた状態を示す側面図、図３は、ドア用センサーライトの平面図、図４は、ドア用センサーライトの底面図である。
【００１６】
本考案に係るドア用センサーライトは、半球状（半球殻状）の下本体１と、下本体１の上方に装着する円筒状の上本体３で構成する。円筒状の上本体３の内面は、下方に向けて細径に形成して下本体１の上端部ががたつかないように挿入されるようにしている。下本体１と上本体３は、上本体３の下端部に形成した受け部13に、下本体の上端部外周面に形成した爪14を係合させることによって回動可能に連結している。
【００１７】
上本体３の上面には、例えばネジ嵌合によって蓋体４を着脱自在に装着している。そして、蓋体４にドア７の上端部に固定するための固定手段を設ける。ドア７への固定手段として、図１や図３から理解されるように、蓋体４に外周部から中心方向に向けてガイド溝５を設け、このガイド溝５にＬ字状に折曲した固定金具６の水平辺6bを挿入し、任意挿入位置において固定金具６の水平辺6aと蓋体４とを締付ネジ８で固定するようにしている。
【００１８】
すなわち、図２に示すように、Ｌ字状の固定金具６の垂直辺6aを、例えばビス20、20によってドア７の上端部の内面に固定し、ドア７の上端から外面に向けて水平辺6aを突出させ、突出する水平辺6aを蓋体４のガイド溝５に挿入して、任意挿入位置において締付ネジ８で固定する。
突出辺6bには、長孔21を穿設しておき、この長孔21を通過させて締付ネジ８を蓋体４の上面に螺着するようにしている。この構造とすることによって、突出する水平辺6aに対する蓋体４の固定位置を調節することができる。すなわち、厚みが異なるドアに対しても取付けることができる。
【００１９】
上本体３の背面位置には、背面方向に方形状の座22を突出させている。この座22は、ドア７の表面に安定的に当接するように平面的に形成し、その上にクッション材23を貼設している。したがって、ドアに固定されている固定金具６の水平辺6bに蓋体４のガイド溝５を挿入し、上本体の座22に配置したクッション材23をドア７の表面に押圧した状態で締付ネジ８を締付けることによって、本考案ドア用センサーライトを安定良く装着することができる。
なお、固定金具６の垂直辺6aをビスでドアに固定するに際し、図２に示すように、垂直辺6aとドア表面の間にクッション材26を介在させておくのが好ましい。
【００２０】
下本体１の下端部には、照光のための開口部15を設けている。この開口部15には、照光レンズ16を装着するとともに、その内奥にライト12を配置している。ライト12は、ＬＥＤとして基板18に固定し、開口部15に向けて広がるリフレクタ17の奥端に配置している。基板18には、ヒートシンク19を固定し、ＬＥＤであるライト12の熱を逃がしている。
開口部15は、垂直方向よりも僅かに（５度ないし10度程度）前方に向けて傾け、図６にＡで示すようにドアの前面と少し前方の範囲Ａを照光することができるようにしている。
【００２１】
下本体１には、斜め下前方に向けて人感センサー２、具体的には赤外線センサーを設けている。この人感センサーによる感知領域は、図６に示すようにドア７の上端から斜め前方の一定角度Ｂの範囲とする。このように、本考案のドア用センサーでは、ドアの上端から一定角度の範囲の人を感知するため、ドアの前の立った人は確実に感知し、必要以上に遠方の人を感知しないものとし、使い勝手のよいドア用センサーライトとすることができる。
このとき、上本体３に対して下本体１を一定角度の範囲で回動可能とすることによって、人感センサー２による感知範囲及びライト12による照射領域を調節することができる。
【００２２】
上本体３には図１に示すように、仕切り板９を配置することによってその内部を上下に区画している。仕切り板９は、平面回動によって上本体３内に固定される構造としている。仕切り板９の上面には、図１、図５に示すように、電池ボックス10を形成し、ライト12や人感センサー２を駆動する電池24を収容している。電池ボックス10からは、下本体内に向けてライト12の基板18や、人感センサー２の基板25に配線（図面に記載していない）を行なうため、仕切り板９の回動範囲及び下本体の回動角度は、配線に余裕のある範囲に限定される。
【符号の説明】
【００２３】
１…下本体、  ２…人感センサー、  ３…上本体、  ４…蓋体、  ５…ガイド溝、  ６…固定金具、  6a…垂直辺、  6b…水平辺、  ７…ドア、  ８…締付ネジ、  ９…仕切り板、  10…電池ボックス、  11…ノブ、  12…ライト、  13…受け部、  14…爪、  15…開口部、  16…照光レンズ、  17…リフレクタ、  18…基板、  19…ヒートシンク、  20…ビス、  21…長孔、  22…座、  23…クッション材、  24…電池、  25…基板、  26…クッション材。
【図１】
0003184006.tif 000003
【図２】
0003184006.tif 000004
【図３】
0003184006.tif 000005
【図４】
0003184006.tif 000006
【図５】
0003184006.tif 000007
【図６】
0003184006.tif 000008